(57)【特許請求の範囲】
【請求項１】
発光素子と、リードが組み込まれ前記発光素子をその底部面に導通搭載する有底状の反射ケースを備え、前記発光素子の電極とリードとを接続させるワイヤを樹脂のパッケージによって封止した半導体発光装置であって、前記樹脂のパッケージを、共通の樹脂を生地とする封止樹脂層と発光波長変換用の蛍光物質を含有した蛍光膜層との２層構造とするとともに前記封止樹脂層と蛍光膜層との間の境界層を前記共通の樹脂の生地によって接合し、前記蛍光膜層を前記発光素子を含んで前記反射ケースの底面側に展開させ、前記封止樹脂層を前記蛍光膜層の表面側に形成し、前記ワイヤが前記封止樹脂層と蛍光膜層との間に跨らないように前記発光素子とワイヤを前記蛍光膜層で覆ったことを特徴とする半導体発光装置。
【発明の詳細な説明】
【０００１】
【発明の属する技術分野】
本発明は、たとえば発光輝度が大幅に改善されたＧａＮ系化合物半導体による青色発光の発光ダイオードを用いた半導体発光装置に係り、波長変換して信頼度の高い白色発光等が得られるようにした半導体発光装置及びその製造方法に関する。
【０００２】
【従来の技術】
青色発光の発光ダイオード（以下、「ＬＥＤ」と記す）は、近来になって、ＧａＮ，ＧａＡｌＮ，ＩｎＧａＮ及びＩｎＡｌＧａＮ等のＧａＮ系化合物半導体を利用することによって、発光輝度の向上に大きな進展をみせた。そして、旧来からの赤（Ｒ），緑（Ｇ），青（Ｂ）発光のＬＥＤとの組合せによって、これらのＬＥＤの３個を１ドットとする高画質のフルカラー画像の形成が可能となった。
【０００３】
ＬＥＤの分野では、フルカラー対応には光の三原色のＲ，Ｇ，Ｂが必要であるから、これらの発光色のＬＥＤのより一層の開発と改良が主である。その一方で、たとえばＲ，Ｇ，Ｂの合成によってしか得られない白色発光を単一のＬＥＤで達成しようとする試みも既になされている。このような試みの一つとして、たとえば特開平７−９９３４５号公報に開示されたものがある。
【０００４】
この公報に記載のＬＥＤは、発光チップを搭載するリードフレームのマウント部を含めて樹脂によって封止するいわゆるＬＥＤランプのタイプとしたものである。そして、発光チップの発光波長を変えて異なった発光色とするために、発光チップの周りのマウント部に蛍光物質を含んだ内皮樹脂（公報においては、「第１の樹脂」と記載）によって充填し、この内皮樹脂の硬化後に外皮樹脂（公報においては、「第２の樹脂」と記載）で封止した構成を持つ。また、内皮及び外皮の樹脂はそれぞれエポキシ樹脂が利用され、内皮樹脂に含ませる蛍光物質としては蛍光染料，蛍光顔料，蛍光体が用いられている。
【０００５】
このような蛍光物質を含む内皮樹脂によって発光チップの周りとマウント部の内面にかけてを封止することで、発光チップからの発光の波長が蛍光物質によって変えられる。したがって、外皮樹脂から放出される発光は発光チップが本来持つ色と異なる色となり、たとえば高輝度のＧａＮ系化合物半導体を利用した青色の発光チップを白色発光のデバイスとして使えるようになる。
【０００６】
ここで、蛍光物質を含む内皮樹脂とこれを覆ってＬＥＤランプの外郭を形成する外皮樹脂の二重皮膜とするのは、色変換のための蛍光物質を発光チップに近い周りに集めておくためである。
【０００７】
すなわち、特開平１０−９３１４６号公報に開示されているように、ＬＥＤランプの樹脂の全体に蛍光物質を含ませることによっても色変換は可能であるが、外部からの光や隣接配置のＬＥＤからの光が入り込むと、この入射光によって蛍光物質が励起される。したがって、点灯モードにないＬＥＤが発光しているように見え、多数のＬＥＤを配列したディスプレイの場合では混色を生じて画質を低下させる。このことから、先の公報に記載のＬＥＤは、内皮と外皮の樹脂の皮膜層に分け、内皮樹脂だけに蛍光物質を含ませることによって、外部からの光に蛍光物質が晒されるのを抑えて励起による発光を阻止しようとしたのである。
【０００８】
【発明が解決しようとする課題】
ところが、先の公報に記載のＬＥＤの製造では、発光チップをマウントに搭載した後に内皮樹脂によってその周りを封止し、この内皮樹脂が硬化した後に外皮樹脂によって封止するという工程を踏む。すなわち、内皮樹脂の充填とその硬化の後に外皮樹脂を充填して硬化させる二重モールドによるので、製造時間が長くなるほか製造設備も複雑になりがちである。
【０００９】
また、このような内皮と外皮の樹脂の二重モールドでは、外皮樹脂が硬化するときに三次元の向きの収縮があることから、たとえ内皮及び外皮の樹脂を共通のエポキシ樹脂としていても、これらの樹脂の界面に剥離や光学的な歪みの発生を伴いやすい。更に、熱衝撃試験等の急激な温度変化による界面剥離の拡大も生じやすい。このような内皮樹脂と外皮樹脂の界面との間の光学的な歪みや界面剥離は、発光チップからの発光に少なからず影響を及ぼし発光輝度の低下を招く。
【００１０】
このように、蛍光物質を封止樹脂の中に混入して発光波長を変換してたとえば白色発光として得ることはできるが、内皮と外皮の樹脂の二重モールドによる場合では、その生産性の面だけでなく内皮と外皮との間の界面の剥離による発光輝度の低下が避けられない。
【００１１】
本発明において解決すべき課題は、波長変換用の蛍光物質を含む層との間に界面ができないようにして発光輝度を高く維持できる半導体発光装置及びその製造方法を提供することにある。
【００１２】
【課題を解決するための手段】
本発明は、発光素子を樹脂のパッケージによって封止した半導体発光装置であって、前記樹脂のパッケージを、共通の樹脂を生地とする封止樹脂層と発光波長変換用の蛍光物質を含有した蛍光膜層との２層構造とするとともに前記封止樹脂層と蛍光膜層との間の境界層を前記共通の樹脂の生地によって接合し、前記蛍光膜層を前記発光素子からの光路中に含ませてなることを特徴とする。
【００１３】
このような構成では、蛍光膜層と封止樹脂層との間が共通の樹脂を生地とするように連なるので、これらの層どうしの境界面の剥離がなく、発光素子からの発光輝度の低下を抑えることができ、波長変換された発光を効率的に放出することができる。
【００１４】
また、本発明の製造方法は、前記封止樹脂層と蛍光膜層とを、蛍光物質を含有する一次成形樹脂材を遠心分離法によって層分離して形成することを特徴とする。
【００１５】
この製造方法では、一次成形樹脂材だけを用いてパッケージをモールドできるとともに封止樹脂層と蛍光膜層とに分離するので、工程数の削減と層どうしの境界面の剥離が抑えられる。
【００１６】
【発明の実施の形態】
請求項１に記載の発明は、発光素子と、前記発光素子の電極とリードとを接続させるワイヤを樹脂のパッケージによって封止した半導体発光装置であって、前記樹脂のパッケージを、共通の樹脂を生地とする封止樹脂層と発光波長変換用の蛍光物質を含有した蛍光膜層との２層構造とするとともに前記封止樹脂層と蛍光膜層との間の境界層を前記共通の樹脂の生地によって接合し、前記ワイヤが前記封止樹脂層と蛍光膜層との間に跨らないように前記発光素子とワイヤを前記蛍光膜層で覆ったことを特徴とする半導体発光装置であり、封止樹脂層と蛍光膜層との間の剥離がなく発光素子からの発光輝度を落とすことなく波長変換して発光させるという作用を有する。
【００１７】
請求項２に記載の発明は、前記発光素子をその底部面に導通搭載する有底状の反射ケースを備え、前記蛍光膜層を前記発光素子を含んで前記反射ケースの底面側に展開させ、前記封止樹脂層を前記蛍光膜層の表面側に形成してなる請求項１記載の半導体発光装置であり、本発明の製造方法を適用する場合、反射ケース自身を遠心分離のための容器としてそのまま利用できるという作用を有する。
【００１９】
請求項３に記載の発明は、前記封止樹脂層と蛍光膜層とを、蛍光物質を含有する一次成形樹脂材を遠心分離法によって層分離して形成してなる請求項１または２に記載の半導体発光装置であって、前記封止樹脂層と蛍光膜層とを、蛍光物質を含有する一次成形樹脂材を遠心分離法によって層分離して形成してなる半導体発光装置であり、一次成形樹脂材のみを充填して遠心分離するだけの工程で済み、二重モールド等の工程を省けるという作用を有する。
【００２０】
図１は本発明の一実施の形態による半導体発光装置の概略縦断面図であり、反射ケースを用いた例として示す。
【００２１】
図１において、有底状であって絶縁性の反射ケース１に一対のリード２ａ，２ｂが組み込まれ、一方のリード２ａの上に発光素子３が搭載されている。リード２ａ，２ｂは反射ケース１の底部の上面に展開されるとともに外に突き出る形状を持ち、この突き出た部分が配線基板（図示せず）の上に形成された配線パターンに導通搭載される。
【００２２】
発光素子３は、従来技術の項で述べたＧａＮ系化合物半導体を利用した高輝度の青色発光のＬＥＤである。この発光素子３は、サファイアを素材とした基板３ａの表面に、たとえばＧａＮのｎ型層，ＩｎＧａＮの活性層及びＧａＮのｐ型層を積層したものであり、基板３ａの底面をリード２ａの表面に載せて絶縁性または導電性の接着剤により固定される。そして、従来周知のように、ｐ型層の一部がエッチングされてｎ型層を露出させ、この露出したｎ型層の表面にｎ側電極を形成し、ｐ型層の表面にはｐ側電極を形成し、これらのｎ側及びｐ側の電極にＡｕを利用したワイヤ４ａ，４ｂをそれぞれリード２ａ，２ｂとの間でボンディングしている。
【００２３】
青色発光の発光素子３に対して、その発光波長を変換して白色発光とするとともに発光素子３を保護するためのパッケージとして、蛍光膜層５と封止樹脂層６とを反射ケース１の中に形成させる。これらの蛍光膜層５及び封止樹脂層６は、ＬＥＤランプ等の分野で利用されているエポキシ樹脂の中に予め蛍光物質を混入したものを反射ケース１の中に充填し、その後遠心分離法によって分離して形成されるものである。エポキシ樹脂に混入する蛍光物質は、白色発光に変換する場合では、発光素子３の発光色である青色と補色の関係を持つものであればよく、蛍光染料，蛍光顔料，蛍光体などが利用でき、たとえば（Ｙ，Ｇｄ)3（Ａｌ，Ｇａ)5Ｏ12：Ｃｅ等が好適である。
【００２４】
図２は蛍光膜層５と封止樹脂層６からなるパッケージ構造の形成要領を示す概略図である。
【００２５】
パッケージの形成工程は、リード２ａ，２ｂを一体に備えた反射ケース１への発光素子３の実装とワイヤ４ａ，４ｂのボンディングの後であり、図２の（ａ）に示すように水平及び鉛直姿勢に回転操作できる治具５０の上に搭載固定されている。そして、反射ケース１の内部には、先に述べたような蛍光物質を予め一様に混入した一次成形樹脂材７をポッティングする。この一次成形樹脂材７は透明のエポキシ樹脂等のように熱硬化性のものであればよく、蛍光物質の混入過程から反射ケース１へのポッティング及び遠心分離までの工程では粘性を持つ液状である。
【００２６】
ポッティング工程の後には、図２の（ｂ）に示すように治具５０を９０°回転させて搭載面を鉛直姿勢として遠心分離装置にセットし、搭載面と平行な回転軸Ａ周りに高速で回転させる。
【００２７】
この高速回転によって、反射ケース１に対して、図中の矢印Ｆで示す方向に遠心力が作用し、一次成形樹脂材７にもその負荷が加わる。そして、この一次成形樹脂材７はエポキシ樹脂の基材に蛍光物質を混入したものなので、比重がエポキシ樹脂より大きい蛍光物質が外側に飛ばされるようになり、反射ケース１の底部側に蛍光物質のほとんどを含有する蛍光膜層５と蛍光物質をほとんど含まない封止樹脂層６とに層分離される。すなわち、一般的なエポキシ樹脂の比重は１．２〜１．３であるのに対し、たとえば蛍光物質として広く利用されている（Ｙ，Ｇｄ)3（Ａｌ，Ｇａ)5Ｏ12；Ｃｅ系の比重は４．５〜５．５であり、このような比重差によって、蛍光膜層５と封止樹脂層６とが遠心分離法によって分離される。
【００２８】
蛍光膜層５は発光素子３の全体を覆う厚さになるように蛍光物質の含有量を決めることが必要である。そして、ワイヤ４ａ，４ｂが蛍光膜層５と封止樹脂層６との間に跨がらないようにすることが好ましく、こうすることで熱硬化させるときの蛍光膜層５と封止樹脂層６の熱収縮の差によるワイヤ４ａ，４ｂの断線が防止される。
【００２９】
このように遠心分離された後には、治具５０を図２の（ａ）の水平姿勢に戻して加熱乾燥工程に移し、一次成形樹脂材７を熱硬化させて図１に示す半導体発光装置が得られる。すなわち、発光素子３の全体が蛍光膜層５によって被覆されるとともに、蛍光膜層５の上には透明の封止樹脂層６が一体に形成され、発光素子３からの青色発光は蛍光膜層５によって波長変換されて封止樹脂層６から白色発光として放出される。
【００３０】
本発明においては、蛍光物質を混入させた一次成形樹脂材７を反射ケース１にポッティングした後に遠心分離によって蛍光膜層５と封止樹脂層６とに層分離するので、従来例のように二重モールドの工程が不要となり、工程数が削減される。また、蛍光膜層５は蛍光物質だけが集合したものではなく、蛍光物質とともにエポキシ樹脂を伴って形成されるので、蛍光膜層５と封止樹脂層６との境界も含めてエポキシ樹脂が生地のように連なる。したがって、二重モールドする場合に比べると蛍光膜層５と封止樹脂層６との間には性状が異なる樹脂どうしのような界面に相当するものがなく、これらの蛍光膜層５と封止樹脂層６との間の層の剥離を生じることがない。その結果、発光素子３からの発光の歪みや発光輝度の低下を招くことがなくなる。
【００３１】
図３は別の例を示す半導体発光素子であって、同図の（ａ）は反射ケースの中に一次成形樹脂材をポッティングしたときの概略縦断面図、同図の（ｂ）は遠心分離した後の最終製品の概略縦断面図、同図（ｃ）は同図（ｂ）の概略平面図である。なお、図１の例と比較して反射ケースやリードの形状は相違するが、同じ機能を持つ部材なので、同一の構成部材については先の図１の例に付したものと同じ符号で指示し、その詳細な説明は省略する。
【００３２】
図３において、リード２ａ，２ｂは反射ケース１の内部から下面側に沿う断面形状を持ち、絶縁性の基板３ａを持つ発光素子３はリード２ａの上ではなくて反射ケース１の底面に搭載されている。この２点だけが先の例との構成上での違いであり、同図（ａ）での一次成形樹脂材７のポッティング後には、図２で示した工程によって遠心分離することによって、反射ケース１の中に蛍光膜層５と封止樹脂層６とが分離して形成される。
【００３３】
この図３の例でも、二重モールドすることなく工程数を削減した製造が可能であり、蛍光膜層５と封止樹脂層６との間の剥離もないので、高い発光輝度の半導体発光装置が得られる。
【００３４】
図４は砲弾型のパッケージを持つＬＥＤランプを形成する工程図、図５は得られた製品の概略図であり、工程について以下に説明する。
【００３５】
図４の（ａ）において、パッケージを形成するための注入型５１を予め用意しておき、この注入型５１に一次成形樹脂材８をポッティングする。一次成形樹脂材８は先の例と同様にエポキシ樹脂の中に蛍光物質を一様に混入した熱硬化性のものである。そして、注入型５１を図４の（ａ）において時計方向に９０°回転させた姿勢として図２の（ｂ）で説明した遠心分離を実行することで、図４の（ｂ）に示すように、注入型５１の底部側に蛍光膜層９が偏って集合しその上側にエポキシ樹脂による封止樹脂層１０が層分離してそれぞれ形成される。
【００３６】
次いで、液状の状態にある封止樹脂層１０の中にリードフレーム１１を差し込み、この後に加熱乾燥させて蛍光膜層９及び封止樹脂層１０を硬化させてリードフレーム１１を一体に連結する。リードフレーム１１は普通に用いられる二股状のもので、一方のリード１１ａにＧａＮ系化合物半導体を利用した青色発光の発光素子１２を搭載するとともにワイヤ１３ａ，１３ｂによってこの発光素子１２とリード１１ａ，１１ｂとの間をボンディングしたものである。
【００３７】
加熱乾燥工程の後には、注入型５１から離型することで、図５に示す砲弾型のＬＥＤランプが得られる。このＬＥＤランプでは、発光素子１２の周りが封止樹脂層１０によって被覆されているが、発光素子１２の発光方向を向く先端側には蛍光膜層９が形成されているので、発光素子１２からの青色発光はこの蛍光膜層９を抜けるときに波長変換されて白色光として発光させることができる。
【００３８】
このように、蛍光膜層９と封止樹脂層１０とによって発光素子１２に対するパッケージを形成するＬＥＤランプ型であっても、二重モールド工程を必要としないので工程数が削減される。また、蛍光膜層９と封止樹脂層１０との間にエポキシ樹脂が生地のように連なるので、これらの蛍光膜層９と封止樹脂層１０との間に剥離がなく、発光素子３からの発光を効率よく取り出すことができる。
【００３９】
なお、以上の説明では、青色発光の発光素子を白色発光に変える例としたが、赤や緑の発光素子のそれぞれの発光を蛍光物質の特性によって様々な発光色に変える構成とすることもできる。
【００４０】
【発明の効果】
本発明では、発光素子の発光色を波長変換するための蛍光膜層と封止樹脂層との間を一次成形樹脂材が生地のようにして連ねて形成されるので、これらの層の間の剥離がなく、発光素子からの発光輝度を低下させることなく波長変換した光を効率的に放出することができる。また、製造方法においては、一次成形樹脂材のポッティングの後に遠心分離を加えるだけで蛍光膜層と封止樹脂層とを層分離でき、従来の二重モールドする場合に比べると工程数が削減され、生産性の向上が図れる。
【図面の簡単な説明】
【図１】本発明の製造方法によって得た反射ケース型の半導体発光装置の一例を示す要部の概略縦断面図
【図２】本発明の製造方法における工程を示す概略図であって、（ａ）は反射ケースへの一次成形樹脂材のポッティング工程を示す図
（ｂ）は遠心分離工程を示す図
【図３】本発明の製造方法により得られる半導体発光装置の別の例を示す概略図
【図４】砲弾型のＬＥＤランプの製造工程の例であって、
（ａ）は注入型への一次成形樹脂材の注入工程を示す図
（ｂ）は遠心分離工程を示す図
（ｃ）はリードフレームの接合工程を示す図
を示す図
【図５】図４の工程によって得られたＬＥＤランプ型の半導体発光装置の概略図
【符号の説明】
１  反射ケース
２ａ，２ｂ  リード
３  発光素子
４ａ，４ｂ  ワイヤ
５  蛍光膜層
６  封止樹脂層
７  一次成形樹脂材
８  一次成形樹脂材
９  蛍光膜層
１０  封止樹脂層
１１  リードフレーム
１１ａ，１１ｂ  リード
１２  発光素子
１３ａ，１３ｂ  ワイヤ
５０  治具
５１  注入型
【図１】
0003775081.tif 000002
【図２】
0003775081.tif 000003
【図３】
0003775081.tif 000004
【図４】
0003775081.tif 000005
【図５】
0003775081.tif 000006